(57)【要約】【課題】様々な床厚の床に対して、何種類もの継手を用意・選定する必要がなく、１種類の継手で対応することが可能な継手を提供する。【解決手段】継手１５は全体として略円筒状をなし、継手本体１８と、鍔部２７と、ナット２６を備えている。継手本体１８の外周面にはねじ１８ａが螺刻され、前記ねじ１８ａには鍔部２７及びナット２６が螺着されている。前記鍔部２７は回動させることにより継手本体１８上で位置を調節でき、前記鍔部２７に前記ナット２６を当接させることでダブルナットの作用により、前記鍔部２７は固定される。【選択図】図１
2011252569.tif 000002
【特許請求の範囲】
【請求項１】
外周面にねじが螺刻されている略円筒状をなす継手本体と、中心部に前記継手本体へ挿着するための挿通孔を備え、前記継手本体の軸方向に位置調整可能な鍔部と、鍔部を調整位置で固定するための手段とを備え、前記継手本体を床板に透設された挿通孔に挿通された状態で鍔部を床板に固定することを特徴とする継手。
【請求項２】
前記鍔部は、ナットと共に前記継手本体に挿着され、継手本体の外周に螺合されたナットによって継手本体に固定されることを特徴とする請求項１に記載の継手。
【請求項３】
前記鍔部の中心部に設けられた挿通孔は、その内周面にねじが螺刻されたことを特徴とする請求項２に記載の継手。
【請求項４】
前記継手本体を床下管に接続し、同床板に透設された挿通孔に前記継手本体を挿通させ、当該継手本体に挿着された前記鍔部を継手本体の軸線方向において位置調整して、その鍔部を床板の下面に固定することにより継手本体を床板に固定して、配管を床板側へ立ち上げた状態で設置することを特徴とする請求項１から請求項３のいずれか１項に記載の継手の施工方法。
【請求項５】
前記継手を床板に固定した後、継手を上方から被覆するための化粧材を継手の上側に設けることを特徴とする請求項４に記載の継手の施工方法。
【発明の詳細な説明】
【技術分野】
【０００１】
本発明は、床板の下側に敷設された床下管と、床板の上側に設けられた連結配管である床上管とを接続するための継手及びその配管施行方法に関するものである。
【背景技術】
【０００２】
従来、床下管と床上管とを接続するための継手として、例えば、特許文献１に記載の継手が知られている。
上記特許文献１においては、図７に示すように、給湯配管１０３が床１０１側へ立ち上げられた状態で、その端部に継手１０６の継手本体１０７が接続されている。この継手本体１０７はそれと一体的に設けられた鍔部１０８を介して、ねじ１０９によって床１０１の下面に固定され、継手本体１０７の上端部には床上管１０４が接続される。
【０００３】
さらに、前記継手１０６と床上管１０４の接続部１０５が、フロア材１０２の上面より突出した位置にあり、万一接続部１０５から水漏れした場合でも水漏れを視認し易いため、水漏れ発見の早期化を図ることができる。
【０００４】
一方、特許文献２に記載の継手は、継手本体と鍔部を別体とし、床面に固定された鍔部に対し継手本体を上下方向に摺動可能とすることで、床下管の切断において高い位置精度を必要とせず、配管作業の作業性の向上を図ることができるとされている。
【先行技術文献】
【特許文献】
【０００５】
【特許文献１】特開２００３−２２２２６６号公報
【特許文献２】特開２００５−３４４７９４号公報
【発明の概要】
【発明が解決しようとする課題】
【０００６】
しかしながら、上記特許文献１に記載の継手は、継手本体に鍔部が一体的に設けられているため、床の厚みに合せて、鍔部から継手本体の上端までの長さの違う継手を数種類用意する必要があった。
【０００７】
つまり、施工者は床の厚さに合わせて継手を選定しておく必要があって、手間がかかる上に、床厚にあった適切な継手を使用しなかった場合、以下に述べる様々な問題を生じる虞があった。
【０００８】
例えば、図８（ａ）に示すように、床１０１が防音等を目的とした、厚みのある床である場合、継手の鍔部から上端までの長さの短い継手を使用した場合、接続部１０５が床面の下に隠れてしまうことになる。
【０００９】
この場合、継手本体１０７と床上管１０４とを接続し辛いばかりでなく、接続部１０５から水が漏れ出した場合、漏れ出た水を視認できないため、水漏れの発見を遅らせる要因となりうる。
【００１０】
逆に、図８（ｂ）に示すように、床１０１が薄い場合、例え継手の鍔部から上端までの長さが最も短いものを使用しても、継手本体１０７が床面から大きく突出する。そのため、化粧材１１０が継手端面に当接してしまうため、化粧材１１０と床面の間に隙間が生じ見栄えが悪化する場合がある。
【００１１】
また、前記のように、様々なタイプの継手を用意しなければならないため、金型や治工具類についてもそれに合わせた各種のものが必要であった。さらに継手を棒材から切削加工で製作する場合、鍔部の径を含めた大径の棒材が必要であり、従って、無駄な削り代がでるため製造コストがかかっていた。
【００１２】
一方、特許文献２に記載の管継手では、継手本体が鍔部に対する摺動範囲の端部に位置しても継手本体を適切に支持する必要がある。このため、鍔部の摺動面の面積を十分に確保する必要があった。さらに摺動面は、継手本体が横方向へ移動することを制限する必要があるため、鍔部の厚みも十分に必要であり、これらの結果、鍔部の大型化や大重量化を招いていた。
【００１３】
本発明は、上記のような従来技術に存在する問題点に着目してなされたものである。その目的とするところは、様々な厚さの床に対して、１種類の継手で対応することが可能であり、鍔部の大型化を回避できる継手を提供することにある。
【課題を解決するための手段】
【００１４】
上記問題点を解決するために、請求項１に係る発明の継手は、床上管と床下管とを接続し、外周にねじ切り加工された略円筒状の継手本体と、中心部に前記継手本体へ挿着するための挿通孔を備え、前記継手本体を床板に透設された挿通孔に挿通された状態で、前記継手本体を床板に固定するための１つの板状の鍔部とで構成されていることを要旨とする。
【００１５】
請求項２に係る発明の継手は、前記鍔部と共に前記継手本体に挿着され、前記鍔部を前記継手本体に固定するためのナットが備えられていることを要旨とする。
請求項３に係る発明の継手は、請求項２において、前記鍔部は中心部に設けられた挿通孔の内周面にねじ切り加工され、１つの前記ナットと共に前記継手本体へ挿着され、前記鍔部と前記ナットは当接し合うことでダブルナットと同様の効果を奏し、前記鍔部を前記継手本体の軸線上に固定可能であることを要旨とする。
【００１６】
請求項４に係る発明の継手の配管施行方法は、前記継手本体の床板の下側に敷設された床下管と、前記床板の上側に設けられた床上管とを継手により接続するために、前記床板の下側で配管と継手の下側とを接続し、当該配管を床板側へ立ち上げ、同床板に透設された挿通孔に前記継手の上側を挿通させ、当該継手に挿着され、ナットによって固定された鍔部を床板の下面に固定することにより継手を床板に固定して、配管を床板側へ立ち上げた状態で設置することを要旨とする。
【００１７】
請求項５に係る発明の継手の配管施行方法は、請求項４において、前記継手を床板に固定した後、継手本体の上側を被覆するための化粧材を継手の上側から設けることを要旨とする。
【発明の効果】
【００１８】
本発明によれば、鍔部は、継手本体軸線上の任意の位置に固定でき、鍔部の床板当接面から継手本体の端面までの距離を調整することができる。
そのため、床厚に合わせて鍔部の位置を変更することが可能であるので、何種類もの継手を用意・選定する必要がなく、取扱いが容易になる。
【図面の簡単な説明】
【００１９】
【図１】実施形態の継手を示す半断面図。
【図２】給湯配管を床板側へ立ち上げて設置した状態の部分断面側面図。
【図３】給湯配管の施工に使用される部材を示す分解斜視図。
【図４】継手に給湯配管を接続した状態を示す半断面図。
【図５】給湯配管を床板側へ立ち上げて設置する状態の部分断面側面図。
【図６】ワン座を設置した状態を示す半断面図。
【図７】従来の継手による配管の施工状態を示す部分断面側面図。
【図８】従来の構成を示すものであって、（ａ）は、床厚が厚く継手の床上管接続部の長さが短い場合の配管の施行状態を示す部分断面図、（ｂ）床厚が薄い場合の配管の施行状態を示す部分断面図。
【発明を実施するための形態】
【００２０】
以下、本発明を具体化した継手および同継手の配管施工方法の一実施形態を図１〜図６に従って説明する。
図２に示すように、合成樹脂材料から形成された給湯配管１１は固定具１４により、コンクリートスラブ１３の上面に固定されている。
【００２１】
床板１２の上面にはフロア材２５が貼着され、それらには挿通孔１２ａ及び２５ａが透設され、挿通孔１２ａ、２５ａには継手１５が挿通される。
継手１５の継手本体１８は、略円筒状であり、軸方向両端に床上管接続部１６と床下管接続部１７を有している。
【００２２】
図２に示すように、前記床下管接続部１７には給湯配管１１の端部が差し込まれて接続されるようになっている。
床上管接続部１６の内周面には雌ねじ１６ａが螺刻され、図６に示すように、鋼管Ｐが螺着して接続される。
【００２３】
図１に示すように、床下管接続部１７は、押輪１９と、２枚のロックリング２０と、スペーサ２１及びゴム製の一対のシールリング２２とを備えている。シールリング２２により継手本体１８内に挿入された給湯配管１１の外周面と継手本体１８の内周面との間がシールされる。
【００２４】
２枚のロックリング２０はスペーサ２１によって間隔をおいて配置されている。そしてこれらロックリング２０及びスペーサ２１は継手本体１８の下端に前記押輪１９が螺着されることによって脱落しないようになっている。さらに各ロックリング２０は複数の爪２０ａを有しており、図４に示すように爪２０ａが給湯配管１１の外周面に食い込むため、給湯配管１１は抜け止めされる。
【００２５】
また、継手本体１８の床上管接続部１６側の内周面には、内方へ突出する円環状をなす係止面２３が形成されている。  
また、図２及び図３に示すように、フロア材２５の挿通孔２５ａ及び継手１５を被覆するため、フロア材２５上には略椀形の化粧材として金属材料製のワン座２９が設けられる。このワン座２９の頂部には鋼管Ｐが挿通可能な貫通孔２９ａが形成されている。
【００２６】
次に、本実施形態の要部について説明する。
図１に示すように、継手１５は継手本体１８に加えて鍔部２７と、ナット２６とを備えている。
【００２７】
前記床上管接続部１６側の外周面には、ねじ部１８ａが螺刻されている。
前記鍔部２７の外側三箇所には、固定ビス２８を通過可能な固定孔２７ａがナット２６の最外径の位置よりも外側に形成され、その中心部には内周面にねじ２７ｂが螺刻された挿通孔を備えている。鍔部はねじ２７ｂにおいて１つのナット２６と共に継手本体１８に螺着されている。
【００２８】
ここで、床上管接続部１６に螺着される鋼管Ｐは通常右ねじであるため、前記継手本体１８のねじ部１８ａに螺刻されるねじも右ねじであると、鋼管Ｐの螺着時に継手本体１８が共回りしてしまう。そのため、ねじ部１８ａに螺刻されるねじは左ねじであるのがよく、その外周にはスパナ掛けを可能にするための二面幅１８ｂが設けられているのが施工上好ましい。
【００２９】
次に、上記継手１５を使用した給湯配管１１の施工方法について説明する。
まず、床板１２の下側において、図４に示すように、インナースリーブ２４が嵌入された給湯配管１１の端部を継手１５の床下管接続部１７に差し込み、係止面２３に当接させる。すると、給湯配管１１がロックリング２０に対し移動不能とされ、床下管接続部１７に対して給湯配管１１が抜け止め状態で接続される。
【００３０】
続いて、図５に二点鎖線に示す位置にある給湯配管１１を、図５に実線に示すように床板１２側へ立ち上げ、継手１５の床上管接続部１６側を挿通孔１２ａ，２５ａ内へ挿通させ、管接続部１６の端面をフロア材２５の上面から突出させる。
【００３１】
さらに、図６に示すように、鍔部２７を床板１２の下面に当接させ、固定孔２７ａから床板１２へ固定ビス２８を固定して継手１５を床板１２の下面に固定する。すると、継手１５に接続された給湯配管１１は床板１２側へ立ち上げられた状態に設置される。
【００３２】
そして、床板１２の上側で、鋼管Ｐにワン座２９を装着した状態で、鋼管Ｐを床上管接続部１６に螺合接続し、ワン座２９の下端部をフロア材２５の上面に当接させる。すると、ワン座２９によりフロア材２５に形成された挿通孔２５ａ及び継手１５が被覆され、配管接続部を隠すことができる。
【００３３】
最後に、鋼管Ｐを床板１２上の水栓器具（図示せず）に接続することにより、水栓器具と給湯配管１１とが継手１５を介して接続される。
上記実施形態によれば、以下のような特徴を得ることができる。
【００３４】
（１）継手本体１８と鍔部２７が別体の構成であり、各々はねじにより螺着しているため、それらを相対回動させることにより鍔部２７の上下位置を調整でき、鍔部２７は共に螺着されたナット２６とのダブルナットの作用により位置を固定することが容易である。そのため、接着等の煩わしい作業を必要としないばかりか、座の位置の調節及び固定を継手単体で行うことができる。
【００３５】
（２）継手本体と鍔部が別体であるため、各々の部材は棒材から容易に切削加工可能であり、形状も複雑でないため、金型なしでも製作が可能である。さらに、本実施形態に使用されている部材を他の製品に流用することも可能であり、部材の共通化を図ることができる。
【００３６】
（３）床板１２の下側で継手１５と給湯配管１１とを接続し、その継手１５の鍔部２７を床板１２の下面に固定することにより、床板１２の下側における給湯配管１１の立ち上げ設置する作業を一人で行うことができる。
【００３７】
（４）床上面に座を固定するような継手では、給湯配管を一旦床から引き出し、継手に接続後、継手と給湯配管を再度床板の下側へ戻す工程が必要であった。しかし本実施形態では、給湯配管１１を床板１２側へ引き出し、給湯配管１１を曲げながら床板１２の下側へ再度戻す必要が無いため、給湯配管１１と継手１５とを接続する作業の際、給湯配管１１に作用する負荷を軽減することができる。
【００３８】
（５）継手１５の床上管接続部１６はフロア材２５の上面より上方へ突出した位置にあるため、万一、床上管接続部１６から水漏れした場合、漏れ出た水を視認し易い。従って、水漏れの発見の早期化を図ることができる。
【００３９】
（６）床上面に座を固定するタイプの継手などでは、床上に固定された座を覆うことのできる大きさのワン座が必要であった。しかし、本実施形態では、鍔部２７が床板１２の下面に固定されるため、使用されるワン座２９は床上管接続部１６の床面より突出している部分を覆うことができれば足るので、ワン座の直径及び高さを小さくすることができる。
【００４０】
（７）床下管接続部１７に給湯配管１１を挿入するのみで、給湯配管１１が継手１５に対して抜け止めされ、さらに給湯配管１１と継手１５との間をシールした状態で接続される。そのため、給湯配管１１と継手１５との接続作業、ひいては給湯配管１１の施工作業の簡易化を図ることができる。
【００４１】
なお、上記実施形態は以下のように変更してもよい。
・実施形態では、継手１５は継手本体、鍔部、ナットが各１つずつで構成されているものとしたが、ナット２つで鍔部を挟持してもよい。具体的には、挿通孔の内周面にねじが螺刻されていない鍔部を継手本体に外嵌させ、継手本体の外周に羅合された一対のナットによって鍔部を挟持する。この場合、鍔部の回り止めとして、鍔部挿通孔の内周面及び継手本体の外周面に１以上の平面を設けてやるのがよい。また、ナットで鍔部を挟持する構造上、床の挿通孔はナットが挿通されるのに十分な径である必要がある。
【００４２】
・実施形態では、鍔部はナットによって固定されるものとしたが、鍔部の固定を、ロックタイトのような接着剤や、ねじ部にシールテープを巻きつけることによって行ってもよい。
【００４３】
・実施形態では、継手を床下から取付ける形態としたが、鍔部の位置を床上管接続部端面と同位置とし、床上から床面に対し鍔部を固定してもよい。ただし、この場合においても、床の挿通孔はナットが挿通されるのに十分な径である必要がある。
【００４４】
・実施形態では、鍔部は切削により加工されるものとしたが、樹脂により成型されてもよいし、プレス加工によって鋼板等から打抜かれてもよい。また、その形状は円形でなくてもよく、楕円形やひし形、六角形等の多角形状であってもよく、固定孔も三箇所である必要はなく二箇所以上備えていれば上記実施形態と同様の効果が得られる。
【００４５】
・継手１５の管接続部１６側端面をフロア材２５の上面から突出させるように継手１５の軸線方向への長さを設定したが、フロア材２５の上面から継手１５の管接続部１６側端面が突出しなくてもよく、同じ高さに調整してもよい。
【００４６】
・実施形態では、固定ビス２８により鍔部２７を床板１２に固定したが、鍔部２７と床板１２とを接着剤、粘着テープ等により接合してもよい。
・実施形態では、継手１５において給湯配管１１を床下管接続部１７に挿入するのみで接続することができるワンタッチタイプのものを使用したが、ワンタッチタイプ以外の継手を使用してもよい。例えば、継手本体とナットよりなる継手を使用してもよく、前記継手本体内には給湯配管１１の端部内に嵌入可能な内筒部が形成されている。そして、給湯配管１１に袋ナットを装着した状態で、継手本体の内筒部に給湯配管１１を外嵌し、前記袋ナットを継手本体に螺着することにより、ナットと内筒部との間に給湯配管１１が挟持され、継手に給湯配管１１が抜け出し不能に接続される。
【００４７】
・ワン座２９の材質は金属製でなくともよいし、ワン座２９を省略してもよい。また、床上管接続部端面を床面と同一の高さとした場合等はワン座の変わりに板状の化粧座等を使用してもよい。
【００４８】
・実施形態では、配管として給湯配管１１に具体化したが、配管として給水配管、排水管等に具体化してもよい。
次に上記実施形態及び別例から把握できる技術的思想について、それらの効果とともに以下に追記する。
【００４９】
鍔部は継手本体外周面に螺刻されたねじ部に挿着され、鍔部の位置の調整及び調整位置での固定が可能であることを特徴とする請求項１から請求項３のいずれか１項に記載の継手。従来、床厚に合わせて、継手を選定し準備する必要があったが、このように構成することによって継手１つで様々な床厚に対応することが可能であり、施工者の負担を低減できる。
【符号の説明】
【００５０】
Ｐ…連結配管としての鋼管、１１…配管としての給湯配管、１２…床板、１２ａ…挿通孔、１５…継手、１８…継手本体、２５…フロア材、２５ａ…挿通孔、２６…ナット、２７…鍔部、２７ｂ…ねじ、２９…ワン座。
【図１】
2011252569.tif 000003
【図２】
2011252569.tif 000004
【図３】
2011252569.tif 000005
【図４】
2011252569.tif 000006
【図５】
2011252569.tif 000007
【図６】
2011252569.tif 000008
【図７】
2011252569.tif 000009
【図８】
2011252569.tif 000010